(57)【要約】【課題】軒先庇部への取り付けがしやすく、かつ、施工の際に軒先庇部が損傷する可能性の低い軒樋支持具を提供する。【解決手段】軒先庇部２を挟み込むことで固定される固定部１０は、上押さえ部２０と、下押さえ部３０とを備えている。上押さえ部２０と下押さえ部３０とは、板幅方向の側端縁から板幅方向に延びた切り溝２５、３５を有し、切り溝同士の差し込みにて交差重合する連結構造とされている。切り溝同士で連結した部位を支点１５として、支点１５の後ろ側に、開閉自在な２片よりなる挟着部１６が配され、支点１５の前側に、開閉自在な２片よりなる操作部１７が配され、挟着部１６の２片間に軒先庇部２を配した状態で、操作部１６が閉じることで、挟着部１７が閉じて軒先庇部２を挟み込む。【選択図】図１
2020183662.tif 000002
【特許請求の範囲】
【請求項１】
屋根の軒先庇部に固定される軒樋支持具において、
軒樋を支持する本体部と、該本体部を吊り支持し、かつ前記軒先庇部を挟み込むことで固定される固定部とを備え、
前記固定部は、前記軒先庇部の上面側に配される帯板状の上押さえ部と、該上押さえ部とは別体とした、前記軒先庇部の下面側に配される帯板状の下押さえ部とを備えており、
前記上押さえ部と前記下押さえ部とは、板幅方向の側端縁から板幅方向に延びた切り溝を有し、該切り溝同士の差し込みにて交差重合する連結構造とされており、
前記切り溝同士で連結した部位を支点として、該支点の後ろ側に、開閉自在な２片よりなる挟着部が配され、前記支点の前側に、開閉自在な２片よりなる操作部が配されており、
前記挟着部の２片間に前記軒先庇部を配した状態で、前記操作部が閉じることで、前記挟着部が閉じて前記軒先庇部を挟み込むことを特徴とする軒樋支持具。
【請求項２】
請求項１において、
前記挟着部の２片間の内面に、前記軒先庇部を押圧する突起が形成されていることを特徴とする軒樋支持具。
【請求項３】
請求項１または２において、
前記軒先庇部に取り付けた状態では、前記操作部の上面が前記挟着部の上面よりも大きく下り傾斜していることを特徴とする軒樋支持具。
【請求項４】
請求項１〜３のいずれか１項において、
前記操作部は圧接手段をさらに備え、
前記操作部の両片は、リベットにて、遊びをもって連結されており、
前記操作部の一方片と前記リベットの頭部との間に前記圧接手段を介在させて、前記両片が閉じた状態にロックすることを特徴とする軒樋支持具。
【請求項５】
請求項１〜３のいずれか１項において、
前記操作部の一方片の板幅方向の両端部に、前記操作部が閉じたときに、前記操作部の他方片を板幅方向より挟み込む挟み片が形成されていることを特徴とする軒樋支持具。
【発明の詳細な説明】
【技術分野】
【０００１】
本発明は軒樋を支持する軒樋支持具に関する。
【背景技術】
【０００２】
軒樋支持具としては、軒先で前方に突出した軒先庇部を上下より挟み込むことで軒先に固定されるものが知られている（例えば、特許文献１参照）。例えば平板状のスレート屋根材などの板状の屋根材に対して、この種の軒樋支持具が多く用いられている。
【０００３】
特許文献１のものは、相対する挟着片の内側に鋸状歯を設けて軒先庇部に仮固定できるようになっている。その他のものとして、挟着片の２片間に軒先庇部を圧入させて弾性的で挟み込み、仮固定できるものも多く用いられている。
【先行技術文献】
【特許文献】
【０００４】
【特許文献１】実開昭５８−４５８３０号公報
【発明の概要】
【発明が解決しようとする課題】
【０００５】
しかしながら、上記文献のものは、挟着片は一体であり、かつ内面に鋸状歯があるため装着隙間が小さく、軒先庇部の２片間への装着はしにくい。特に、圧入による挟着であるため、無理に装着しようとすれば、鋸状歯で軒先庇部が損傷するおそれもある。また、軒先庇部が損傷しないように２片間を弾性に抗して開いた状態で、軒先庇部を挟み込むことはできるが、作業がしにくいものと考えられる。
【０００６】
本発明は、このような事情を考慮して提案されたもので、その目的は、軒先庇部への取り付けがしやすく、かつ、施工の際に軒先庇部が損傷する可能性の低い軒樋支持具を提供することにある。
【課題を解決するための手段】
【０００７】
上記目的を達成するために、請求項１に記載の軒樋支持具は、屋根の軒先庇部に固定される軒樋支持具において、軒樋を支持する本体部と、該本体部を吊り支持し、かつ前記軒先庇部を挟み込むことで固定される固定部とを備え、前記固定部は、前記軒先庇部の上面側に配される帯板状の上押さえ部と、該上押さえ部とは別体とした、前記軒先庇部の下面側に配される帯板状の下押さえ部とを備えており、前記上押さえ部と前記下押さえ部とは、板幅方向の側端縁から板幅方向に延びた切り溝を有し、該切り溝同士の差し込みにて交差重合する連結構造とされており、前記切り溝同士で連結した部位を支点として、該支点の後ろ側に、開閉自在な２片よりなる挟着部が配され、前記支点の前側に、開閉自在な２片よりなる操作部が配されており、前記挟着部の２片間に前記軒先庇部を配した状態で、前記操作部を閉じることで、前記挟着部が閉じて前記軒先庇部を挟み込むことを特徴とする。
【０００８】
請求項２に記載の軒樋支持具は、前記挟着部の２片間の内面に、前記軒先庇部を押圧する突起が形成されていることを特徴とする。
【０００９】
請求項３に記載の軒樋支持具は、前記軒先庇部に取り付けた状態では、前記操作部の上面が前記挟着部の上面よりも大きく下り傾斜していることを特徴とする。
【００１０】
請求項４に記載の軒樋支持具は、前記操作部は圧接手段をさらに備え、前記操作部の両片は、リベットにて、遊びをもって連結されており、前記操作部の一方片と前記リベットの頭部との間に前記圧接手段を介在させて、前記両片が閉じた状態にロックすることを特徴とする。
【００１１】
請求項５に記載の軒樋支持具は、前記操作部の一方片の幅方向の両端部に、前記操作部が閉じたときに、前記操作部の他方片を板幅方向より挟み込む挟み片が形成されていることを特徴とする。
【発明の効果】
【００１２】
請求項１に記載の軒樋支持具は上述した構成とされているため、軒先庇部への取り付けがしやすく、かつ、施工の際に軒先庇部が損傷する可能性はほとんどない。
【００１３】
請求項２に記載の軒樋支持具は上述した構成とされているため、突起の押圧または食い込みにより、挟着部が軒先庇部にしっかりと挟着し、仮固定の状態でも軒樋支持具をずれのないようにすることができる。
【００１４】
請求項３に記載の軒樋支持具は上述した構成とされているため、作業者は操作部に対し前方からの操作をしやすくすることができる。
【００１５】
請求項４に記載の軒樋支持具は上述した構成とされているため、操作部の両片を閉じた状態で簡易に固定することができ、軒樋支持具を軒先庇部に対し仮固定または固定状態にすることができる。
【００１６】
請求項５に記載の軒樋支持具は上述した構成とされているため、操作部の両片を閉じた状態で簡易に固定することができ、軒樋支持具を軒先庇部に対し仮固定または固定状態にすることができる。
【図面の簡単な説明】
【００１７】
【図１】本発明の一実施形態に係る軒樋支持具の取付態様を示す側面図である。
【図２】同軒樋支持具の固定部の分解斜視図である。
【図３】同軒樋支持具の取付手順を示す側面図である。
【図４】本発明の他の実施形態に係る軒樋支持具の操作部の固定構造の説明図である。（ａ）は操作部が固定されていない（ロック解除されている）状態を示す側面図、（ｂ）は操作部が固定されている状態を示す側面図、（ｃ）は操作部の固定に用いられる圧接手段の使用態様図である。
【図５】本発明のさらに他の実施形態に係る軒樋支持具の操作部の固定構造の説明図である。（ａ）は操作部が固定されていない（ロック解除されている）状態を示す側面図、（ｂ）は操作部が固定（ロック）されている状態を示す側面図、（ｃ）はロック解除／ロックの操作切り替えに用いられる回転操作部材の平面図である。
【図６】同回転操作部材によるロック解除／ロックの切り替えの説明図である。（ａ）はロック解除状態の図４（ａ）のＡ１方向から見た図、（ｂ）はロック状態の図４（ｂ）のＡ２方向から見た図である。
【図７】同回転操作部材によるロック解除／ロック切り替えの説明図である。（ａ）はロック解除状態の図４（ａ）のＢ１方向から見た図、（ｂ）はロック状態の図４（ｂ）のＢ２方向から見た図である。
【図８】本発明のさらに他の実施形態に係る軒樋支持具の操作部の固定構造の説明図である。（ａ）は固定状態を示す側面図、（ｂ）は固定に用いられる固定部材の使用態様を示す模式図である。
【図９】（ａ）は、本発明のさらに他の実施形態に係る軒樋支持具の要部斜視図である。（ｂ）は操作部に設けた規制片の使用態様を示す模式説明図、（ｃ）は操作部に設けた挟み片の使用態様を示す模式説明図である。
【図１０】本発明のさらに実施形態に係る軒樋支持具の取付態様を示す一部断面側面図である。
【発明を実施するための形態】
【００１８】
以下に、本発明の実施の形態に係る軒樋支持具１ついて、添付図面をもとに説明する。まず、種々の実施形態に係る軒樋支持具１の基本構成について記述する。以下では、軒先に軒樋支持具１が施工された状態を基準として、前後などの方向を規定して説明する。
【００１９】
これらの軒樋支持具１は、屋根の軒先庇部２に固定される軒樋支持具１であり、軒樋３を支持する本体部１１と、本体部１１を吊り支持し、かつ軒先庇部２を挟み込むことで固定される固定部１０とを備えている。
【００２０】
固定部１０は、軒先庇部２の上面側に配される帯板状の上押さえ部２０と、上押さえ部２０とは別体とした、軒先庇部２の下面側に配される帯板状の下押さえ部３０とを備えている。上押さえ部２０と下押さえ部３０とは、板幅方向の側端縁から板幅方向に延びた切り溝２５、３５を有し、切り溝２５、３５同士の差し込みにて交差重合する連結構造とされている。なお、上押さえ部２０および下押さえ部３０は金属板で形成されることが望ましい。
【００２１】
切り溝２５、３５同士で連結した部位を支点１５として、支点１５の後ろ側に、開閉自在な２片よりなる挟着部１６が配され、支点１５の前側に、開閉自在な２片よりなる操作部１７が配されている。この軒樋支持具１は、挟着部１６の２片間に軒先庇部２が配された状態で、操作部１７が閉じることで、挟着部１６が閉じて軒先庇部２を挟み込むことで、軒先庇部２に固定される固定構造とされている。
【００２２】
ここで、軒先庇部２は軒先に突出した屋根材の一部とされ、屋根材としては例えば図１に示すような平板状のスレート屋根材が挙げられるが、その他種々の屋根材であってもよい。折板屋根の軒先部であってもよい。
【００２３】
ついで、各実施形態に係る軒樋支持具１を個別に、詳細に説明する。
【００２４】
図１に示した軒樋支持具１は、上述したように上押さえ部２０と下押さえ部３０とで固定部１０を構成しており、上押さえ部２０と下押さえ部３０とが連結された状態では、前側に２片よりなる操作部１７が配され、後ろ側に２片よりなる挟着部１６が配される。
【００２５】
操作部１７を構成する２片の一方は、下押さえ部３０の前端部よりなる上操作片部３３であり、他方は上押さえ部２０の前端部よりなる下操作片部２６である。挟着部１６を構成する２片の一方は、上押さえ部２０の後部側に配された上挟着片部２１であり、他方は下押さえ部３０の後部側に配された下挟着片部３１である。
【００２６】
ついで、上押さえ部２０と下押さえ部３０とを、図１および図２にもとづいて個別に説明する。
【００２７】
上押さえ部２０は、下操作片部２６と、切り溝２５を有した中間部２４と、上挟着片部２１とを備えている。下押さえ部３０は、上操作片部３３と、切り溝３５を有した下挟着片部３１と、下挟着片部３１の後端より垂下した、軒樋３の高さ位置調整用の垂下片部４０とを備えている。
【００２８】
上押さえ部２０の中間部２４は、軒先庇部２の先端面にあてがわれる部位であり、軒先庇部２の厚みよりもやや長く形成されている。切り溝２５は、この中間部２４の下部に形成されており、上挟着片部２１が軒先庇部２の上面に面接触し、中間部２４の後面が軒先庇部２の先端面に当接または近接した状態では、軒先庇部２の下面よりも下側に配される。
【００２９】
また、上押さえ部２０の上挟着片部２１の裏面には、中間部２４の近傍部（前端部）において、幅方向の両端において長手方向に沿って間隔を空けて連続して配された下向き連続突起２２ａが形成され、後端部において、幅方向の中央に配された下向き突起２２ｂが形成されている。これらの突起は軒先庇部２の上面を上方から押圧するものである。また、上挟着片部２１の後部の板面には、軒先庇部２へ固定具止めするための固定具挿通孔２３が開設されている。
【００３０】
その上押さえ部２０の下操作片部２６は、中間部２４の下端より前方へ折曲延出してなり、板面にはボルト用ネジ孔２７が開設されている。また、下操作片部２６は上挟着片部２１よりも大きく下り傾斜しており、取付状態においては前方斜め上方向を向くように形成されている。
【００３１】
一方、下押さえ部３０は、上操作片部３３と、下挟着片部３１と、下挟着片部３１の後端より下方に折曲延出した垂下片部４０とを備えている。切り溝３５は、下挟着片部３１の前部に形成されており、この切り溝３５と上押さえ部２０の切り溝２５とが、相互に差し込まれることで、上押さえ部２０と下押さえ部３０とは、切り溝２５、３５同士で連結した部位を支点１５として、回動が可能なように連結される。
【００３２】
下押さえ部３０の下挟着片部３１の上面には、切り溝３５の後ろ近傍において、幅方向の両端において長手方向に沿って間隔を空けて連続して配された上向き連続突起３２が形成されている。なお、上向き連続突起３２と、上押さえ部２０の下向き連続突起２２ａとは、すくなくともどちらか一方が形成されていることが望ましい。
【００３３】
下押さえ部３０の上操作片部３３は、下挟着片部３１の前端より下方へ折曲延出して形成されており、その上操作片部３３にはボルト挿通孔３４が開設されている。また、上操作片部３３は下挟着片部３１よりも大きく前方に下り傾斜している。
【００３４】
上押さえ部２０と下押さえ部３０は、上挟着片部２１と下挟着片部３１が軒先庇部２を挟んで略平行な閉じた状態になれば、下操作片部２６と上操作片部３３も略平行に近接し閉じた状態となり、おおむね仮固定状態となる。この状態で、上操作片部３３の上方よりボルト１８を、ボルト挿通孔３４を介して下操作片部２６のボルト用ネジ孔２７に螺着することで、上押さえ部２０の下向き連続突起２２ａおよび下向き突起２２ｂは軒先庇部２の上面に食い込み、かつ下押さえ部３０の上向き連続突起３２は軒先庇部２の下面に食い込み、軒樋支持具１はおおむね固定状態となる。
【００３５】
これらの突起（下向き連続突起２２ａ、下向き突起２２ｂ、上向き突起３２）の形状は、図例のものには限らない。例えば、先細りのものや先端が尖ったものにすれば軒先庇部２の面にしっかりと食い込むため、より望ましい。また、連続突起に代えて、下向き突起２２ｂのように１つの突起でもよい。また、これらの突起は、一部を折り曲げて形成してもよいし、切り起こしにより形成してもよい。さらに、突起は板面の押圧により膨出させたものであってもよい。例えば、図例で示した下向き連続突起２２ａ、上向き連続突起３２のそれぞれは対をなすが、これに代えて、板面の幅方向の中央の１箇所に膨出突起を設けてもよい。
【００３６】
また、上押さえ部２０の上挟着片部２１の固定具挿通孔２３より、ビスや釘などの固定具を挿通させて、軒先庇部２に固定すれば、軒樋支持具１はずれることなく、さらにしっかりと軒先庇部２に固定される。
【００３７】
下押さえ部３０の垂下片部４０には、長手方向に沿って長孔４１が開設されており、その長孔４１の適所に樋支持具本体１２（本体部１１）が取り付けられる。図１の樋支持具本体１２は軒樋３を受け支持する湾曲形状のものとされ、その前後端には軒樋３の耳３ａを係止する耳係止部１１ａが形成されている。後ろ側の耳係止部１１ａが垂下片部４０の適切な高さ位置に、ボルト４２、蝶ナット４３で取り付けできるようになっている。
【００３８】
以上のように、上押さえ部２０は、上挟着片部２１と下操作片部２６とを有した１つの帯板部材で形成され、下押さえ部３０は、下挟着片部３１と上操作片部３３と垂下片部４０とを有した１つの帯板部材で形成されており、固定部１０は以上のように２部材が連結された状態で、軒先庇部２に固定される。
【００３９】
このようにして、２部材が連結されて軒先庇部２に固定された固定部１０は、軒樋３を支持した本体部１１を吊り支持する。
【００４０】
図１の例では、軒先庇部２は厚みが略均一な平板状のスレート屋根材で形成されているため、挟着部１６を構成する上挟着片部２１、下挟着片部３１は略平行な状態で固定されているが、厚みが均一でない、例えば前端側に向けて厚さが先細り形状の軒先庇部２に挟着するものであってもよい。その場合でも、軒樋支持具１は、固定された状態では操作部１７の両片が平行となるように角度調整がなされればよい。例えば、図１に示した下押さえ部３０の上操作片部３３と下挟着片部３１との折曲部を、角度が小さくなるように曲げて利用することもできる。
【００４１】
この軒樋支持具１は、切り溝２５、３５の溝間寸法にもよるが、両部材が連結状態にあるときには、操作部１７および挟着部１６は、それぞれの２片が、切り溝２５、３５同士の交差連結した部位を支点１５として回動が可能とされ、いずれもが開閉自在とされる。例えば、上押さえ部２０は、下押さえ部３０が停止した状態でも図１の２点鎖線の位置まで回動する。
【００４２】
したがって、軒樋支持具１の設置方法としては、まず下押さえ部３０を軒先庇部２の下面側の定位置に配したうえで、上押さえ部２０を２点鎖線で示した位置に配して切り溝２５、３５同士を差し込んで連結し、その後、上挟着片部２１を軒先庇部２の上面まで回動させて挟着状態にすればよい。
【００４３】
また、図３に示すように、あらかじめ両部材を支点１５で連結し、かつ上操作片部３３、下操作片部２６同士をわずかに開いた状態にボルト１８で螺合しておき、挟着部１６の先端が開いた状態で、その開いた空間に軒先庇部２が配されるように後方にずらし、その後、操作部１７でのボルト１８の螺着により挟着部１６を閉じて挟着状態にしてもよい。
【００４４】
また、まず上押さえ部２０を定位置に配したうえで、下押さえ部３０を、切り溝２５、３５同士を相互に差し込むようにして連結し、その後、下押さえ部３０を持ち上げ、下挟着片部３１を軒先庇部２の下面まで回動させて挟着状態にしてもよい。
【００４５】
いずれにせよ、挟着部１６は開いた状態で軒先庇部２に取り付けができるため、軒樋支持具１の取り付けの際に、軒樋支持具１の接触により軒先庇部２の先端を傷めるおそれはほとんどない。
【００４６】
また、操作部１７の２片が閉じれば挟着部１６も軒先庇部２を挟着状態となるように閉じる構成であるため、作業者は、仮固定のためにまず操作部１７を閉じる操作をし、さらに操作部１７をボルト止めすればよい。いったん操作部１７に対する作業が完了すれば、その後、軒樋支持具１がずり落ちたりするおそれはほとんどなく操作部１７から手を離した状態でも安心して、上挟着片部２１の軒先庇部２への固定作業を行うことができる。
【００４７】
特に、上挟着片部２１には下向き連続突起２２ａ、下向き突起２２ｂが形成され、下挟着片部２２には上向き連続突起３２が形成されているため、操作部１７を閉じてから、操作部１７をボルト止めする前であっても、ずれは発生しにくい。これらの突起のうち１つでも尖端状にすれば、さらに効果的である。
【００４８】
また、操作部１７はその上面が屋根面よりもさらに下り傾斜した状態に配されるため、操作部１７の上面は斜め上前方を向く。そのため、作業者はボルト１８の螺合操作をしやすくできる。特に、下操作片部２６にボルト用ネジ孔２７が設けてあるため、ナットを用いなくてもよく、螺着操作はさらにしやすくなる。もちろん、下操作片部２６にも上操作片部３３と同様の固定軸挿通孔を設けて、ボルト１８、ナットで固定するようにしてもよい。
【００４９】
ついで、挟着部１６による軒先庇部２の挟着のための、操作部１７の固定構造の他の実施形態について、図４〜図８を参照しながら説明する。
【００５０】
図４および図５〜図７に示した２種の固定構造はいずれも、リベット５１と、圧接手段５０とを用いるものである。
【００５１】
図４に示した固定構造は、図４（ａ）に示したように、切り溝２５、３５同士が差し込みされ、かつ上挟着片部２１と下挟着片部３１とが軒先庇部２を挟着しない状態で、つまり上操作片部３３と、下操作片部２６とがわずかに開いた状態、つまり遊びをもって連結された状態で、上操作片部３３と、下操作片部２６とを連結できる長さのリベット５１が用いられている。ようするに、両部材はわずかな回動が許容される程度の長さの軸部５１ｂを有したリベット５１で連結されている。なお、この場合、上操作片部３３、下操作片部２６のいずれにも固定軸挿通孔（不図示）が開設されている。
【００５２】
この状態で、上操作片部３３と下操作片部２６とを閉じた状態にして、リベット５１を上方に引き出し、上操作片部３３の上面とリベット５１の頭部５１ａとの隙間に、図４（ｃ）に示した固定部材５２を圧入することで、操作部１７を構成する両片は閉じた状態に固定され、軒樋支持具１を挟着部１６が軒先庇部２を挟み込んだ状態で仮固定状態にすることができる。つまり、この固定部材５２が圧接手段５０を構成する。
【００５３】
固定部材５２は、図４（ｃ）に示すように、リベット５１の上操作片部３３側あるいは下操作片部２６側（図例では上操作片部３３側）に露出したネック部５１ｃに嵌り込む凹部５２ａを有している。凹部５２ａの開口側には誘導部５２ｂが形成され、その誘導部５２ｂは、凹部５２ａの開口から先端に向けて広がった誘導路５２ｃを有している。また、誘導部５２ｂは、厚さが先細りのガイド形状とされている。
【００５４】
この軒樋支持具１についても、図４（ａ）に示すように挟着部１６を開いた状態で軒先庇部２の挟着作業ができるため、軒先庇部２に簡易に取り付けでき、軒先庇部２の損傷を防止することができる。また、操作部１７の２片が連結されているため、施工前、施工時のいずれにおいても取り扱いがしやすい。
【００５５】
図５〜図７に示した固定構造も、操作部１７の一方片とリベット５１との間に圧接手段５０を介在させることで、操作部１７の両片を閉じた状態にロック（固定）する構造とされている。リベット５１は、後述する回転操作部材５５を取り付けた状態で、図４のものと同様に、上操作片部３３と下操作片部２６との間でわずかな回動が許容される程度の長さの軸部５１ｂを有している。
【００５６】
具体的には、この軒樋支持具１は、ロック／アンロックの切り替えをするための回転操作部材５５をさらに備えた構成とされている。回転操作部材５５は、金属等の薄板材で形成されており、図５（ａ）に示すように、長方形状の基板部５６と、その基板部５６の両方の長辺縁より略垂直に延びた把持片部５７を備えている。基板部５６の中央には挿通孔５６ａが開設され、その長手方向の両側には、基板部５６の長手方向に沿ってやや長い小孔５６ｂが形成されている。
【００５７】
この回転操作部材５５は、基板部５６の挿通孔５６ａにリベット５１の軸部５１ｂが挿通され、図５（ａ）に示すように、上方に把持片部５７を突出させた状態で上操作片部３３側に連結されている。なお、図５（ａ）、図６（ａ）および図７（ａ）は同一状態（後述するロック解除位置）の異なる方向から見た図であり、図５（ｂ）、図６（ｂ）および図７（ｂ）は同一状態（後述するロック位置）の異なる方向から見た図である。
【００５８】
また、この軒樋支持具１では、上操作片部３３の外面に、幅方向に沿って延びる２つの膨出部３６が略平行に形成されている。各膨出部３６は尾根状の頂部が延びてなり、全体として突湾曲形状とされている。膨出部３６の頂部の中央には小突起３７が形成されている。
【００５９】
つまり、膨出部３６は、軒樋支持具１を側方から見た場合には略半円形状とされ（図５（ａ）参照）、正面（図５（ａ）のＡ２方向）から見た場合には略半楕円形状とされている。それぞれの膨出部３６はボルト挿通孔３４より等距離に設けられている。また、２つの膨出部３６の間隔は、回転操作部材５５の２つの小孔５６ｂの間隔に合致している。
【００６０】
回転操作部材５５は、操作部１７に対し、リベット５１の軸部５１ｂを支軸として回転できるように取り付けられている。図５（ａ）のように、軒樋支持具１を側方から見て回転操作部材５５がコ字状に見える位置がアンロック位置とされ、このアンロック位置では、回転操作部材５５が膨出部３６間に挟まれるような位置に配されている。
【００６１】
図５（ａ）、図６（ａ）および図７（ａ）では、上操作片部３３と下操作片部２６とが遊びを有し微回動可能な緩んだ状態にあり、かつ回転操作部材５５が回転可能な状態にある。そして、回転操作部材５５をリベット５１の軸部５１ｂを中心に回転させていくと基板部５６は膨出部３６に圧接状態で乗り上げ、約９０度回転させたときには、圧接状態のまま、小突起３７が基板部５６の小孔５６ｂに入り込んだ状態となる（図５（ｂ）、図６（ｂ）および図７（ｂ）参照）。
【００６２】
図５（ｂ）、図６（ｂ）および図７（ｂ）で示した回転操作部材５５の位置がロック位置とされ、この状態では圧接により、操作部１７の両片は閉じた状態でロック（固定）され、軒樋支持具１が軒先庇部２を挟み込んだ状態に仮固定状態とすることができる。つまり、回転操作部材５５の基板部５６と、膨出部３６とにより圧接手段５０が構成されている。
【００６３】
また、回転操作部材５５の回転移動により膨出部３６の中央の小突起３７と小孔５６ｂとが合致するときに、「カチッ」と音がするため、ロック位置であることを確認できる。また、小突起３７が小孔５６ｂに入り込んでいれば、小突起３７が回転操作部材５５の回転動作の障壁となるため、把持片部５７をつまんで操作しないかぎり、ロックが解除される可能性はほとんどない。
【００６４】
このように軒樋支持具１が回転操作部材５５を有した構成であるため、図４の固定構造のものと同様、軒先庇部２への挟着取付操作を簡単に行うことができる。また、軒樋支持具１を構成する部品を一体とした連結状態にしておくことができるため、施工前、施工時のいずれにおいても取り扱いがしやすく、管理もしやすい。
【００６５】
図８に示した固定構造は、固定クリップ６０を用いて操作部１７を固定する構造とされる。固定クリップ６０は操作部１７を閉じた状態で厚み方向より挟着する部材であり、図８（ｂ）に示すように略コ字形状とされている。
【００６６】
この固定クリップ６０は、基部６１と弾性を有した２つの脚片６２とを備えており、２つの脚片６２で操作部１７の両片を挟着する構成とされている。脚片６２は、内面側に突出した圧接部６２ａを有し、先端部には相互に開いたガイド部６２ｂを備えている。
【００６７】
このような固定クリップ６０を用いれば、作業者は固定クリップ６０を操作部１７に嵌め込むだけで、簡単に操作部１７を仮固定状態とすることができる。また、ボルト１８やリベット５１などが不要とされ、上操作片部３３、下操作片部２６には固定軸挿通孔を設けなくてもよい。
【００６８】
また、この固定クリップ６０とリベット５１とを組み合わせて、操作部１７の２片を挟み込むとともに、上操作片部３３の上面とリベット５１の頭部５１ａとの間に、固定クリップ６０の一方の脚片６２を圧入する構造にしてもよい。この場合の圧入用の脚片６２は図４（ｃ）に示すような形状にすればよい。
【００６９】
図９（ａ）〜（ｃ）は、下操作片部２６の幅方向の両端部に、規制片６５または挟み片６６を設けた軒樋支持具１の説明図である。なお、図９（ａ）は、規制片６５を設けた図例であるが、挟み片６６を設けた例については斜視図を省略する。
【００７０】
規制片６５は、図９（ａ）（ｂ）に示すように平板状のものが幅方向の端部より起立するように配され、図９（ｂ）に示すように、両規制片がやや開いた逆ハ字状に設けられることが望ましい。
【００７１】
図９（ｂ）のように、下操作片部２６が規制片６５を有していれば、上操作片部３３のぶれを防止できる。特に、上押さえ部２０と下押さえ部３０とを切り溝２５、３５だけで連結した状態では、ぶれが生じやすいため、規制片６５で上操作片部３３のぶれを規制すれば、ボルト１８止めがしやすくなる。この規制片６５は板幅方向のすくなくとも一方の端部に設けられていてもよい。また、規制片６５は、操作部１７のうちのすくなくとも１片に設ければよい。
【００７２】
また、それぞれの挟み片６６は、図９（ｃ）のように、先端部が「く字」状に外側に折曲されている。両挟み片６６の折曲形状により、開口が徐々に広くなったガイド部６６ａと、両挟み片６６間が窄まるように形成された折曲部６６ｂとが形成されている。
【００７３】
開口より挟み片６６間に入ってきた上操作片部３３は、折曲部６６ｂを外側に弾性的に押圧しながら折曲部６６ｂ間を通り、下操作片部２６に重なる位置に入り込む。このようにして操作部１７の２片は仮固定状態に固定される。さらに２片をボルト１８で固定してもよい。
【００７４】
このように挟み片６６を有した構成によれば、軒樋支持具１を簡易に仮固定状態とすることができる。操作部１７の両片をさらにボルト１８で固定してもよいが、挟着部１６が軒先庇部２を挟着し、さらに、上挟着片部２１が軒先庇部２に固定されるため、操作部１７のボルト１８止めはしなくてもよい。
【００７５】
図１０は、軒樋３を吊り支持する軒樋支持具１の側面図である。この軒樋支持具１は、本体部１１が樋支持具本体１２と、取付足部１３とを有して構成されている。取付足部１３は、後部に固定片部１３ａを備えており、この固定片部１３ａを垂下片部４０の適宜な高さ位置にボルト４２、蝶ナット４３で固定することで、軒樋３の高さ調節ができるようになっている。
【００７６】
また、樋支持具本体１２には前後方向に延びる長孔（不図示）が形成されており、長孔の前後方向の適宜な位置に取付足部１３の先端に設けた軸孔（不図示）を合わせてボルト１１ｂ、蝶ナット１１ｃで固定することで、軒樋３を適切な出具合位置に調節できるようになっている。なお、出具合調節ができない、つまり取付足部１３を有しないものであれば、樋支持具本体１２の後ろ側の耳係止部１１ａを垂下片部４０に固定できるようにすればよい。
【００７７】
この軒樋支持具１の軒先庇部２に対する取付構造は、図１のものと同様であるため、説明は割愛する。また、図４〜図９の態様については、本軒樋支持具１にも適用が可能とされる。
【００７８】
以上では、軒樋支持具１は、本体部１１が垂下片部４０に取り付けられる構造とされるが、本体部１１が下押さえ部３０に一体となったものであってもよい。なお、軒樋３を受け支持する本体部１１の場合には、本体部１１が下押さえ部３０と一体化されればよい。また、軒樋３を吊り支持する本体部１１の場合には、出具合調整が可能なものであれば、取付足部１３が下押さえ部３０に一体化されればよく、出具合調整ができないものであれば、樋支持具本体１２が下押さえ部３０と一体化されればよい。
【符号の説明】
【００７９】
１          軒樋支持具
２          軒先庇部
３          軒樋
１０        固定部
１１        本体部
１２        樋支持具本体
１３        取付足部
１３ａ      固定片部
１５        支点
１６        挟着部
１７        操作部
１８        ボルト
２０        上押さえ部
２１        上挟着片部
２２ａ      下向き連続突起
２２ｂ      下向き突起
２３        固定具挿通孔
２４        中間部
２５        切り溝
２６        下操作片部
２７        ボルト用ネジ孔
３０        下押さえ部
３１        下挟着片部
３２        上向き連続突起
３３        上操作片部
３４        ボルト挿通孔
３５        切り溝
３６        膨出部
３７        小突起
４０        垂下片部
４１        長孔
４２        ボルト
４３        蝶ナット
５０        圧接手段
５１        リベット
５２        固定部材
５５        回転操作部材
５６        基板部
５７        把持片部
６０        固定クリップ
６１        基部
６２        脚片
６５        規制片
６６        挟み片
【図１】
2020183662.tif 000003
【図２】
2020183662.tif 000004
【図３】
2020183662.tif 000005
【図４】
2020183662.tif 000006
【図５】
2020183662.tif 000007
【図６】
2020183662.tif 000008
【図７】
2020183662.tif 000009
【図８】
2020183662.tif 000010
【図９】
2020183662.tif 000011
【図１０】
2020183662.tif 000012